(57)【要約】【課題】熱源ユニットの固定脚を保護すると共に、熱源ユニットの梱包材の減少を図ることができる熱源ユニットの固定脚保護構造を提供する。【解決手段】室外機本体１２の底部に配設された固定脚１３ａに、フォークリフトのフォークが挿入されるフォーク挿入孔１３ｇを形成した室外機１１と、固定脚１３ａである下フランジ１４ｂに着脱可能に装着されてこの固定脚を保護する弾性を有する樹脂製の保護部材１４と、を具備している。【選択図】  図１
2012013332.tif 000002
【特許請求の範囲】
【請求項１】
熱源ユニット本体の底部に配設された固定脚に、フォークリフトのフォークが挿入されるフォーク挿入孔を形成した熱源ユニットと、
前記固定脚に着脱可能に装着されてこの固定脚を保護する弾性を有する樹脂製の保護部材と、
を具備していることを特徴とする熱源ユニットの固定脚保護構造。
【請求項２】
前記保護部材は、前記固定脚の底部底面を被覆する本体と、この本体の幅方向両端部において固定脚の幅方向両端部にそれぞれ係脱可能に係止して固定脚底部を幅方向に弾性的に挟持する一対の係止部と、を具備していることを特徴とする請求項１記載の熱源ユニットの固定脚保護構造。
【請求項３】
保護部材は、その本体底部の底面を粗面に形成していることを特徴とする請求項１または２記載の熱源ユニットの固定脚保護構造。
【発明の詳細な説明】
【技術分野】
【０００１】
本発明の実施形態は熱源ユニットの固定脚保護構造に関する。
【背景技術】
【０００２】
一般に、熱源ユニットの一例である大形の空気調和機の室外機は、重量が重いために単体でフォークリフト等により荷扱いされることが多い。
【０００３】
従来は、この荷扱いの際に、室外機本体の底部に配設された固定脚が損傷することを防止するために、室外機の梱包の際に、この室外機を予め木製のパレット（スキッド）上に載置した状態で梱包している。
【０００４】
図６に示すようにこの木製のパレット１は、室外機本体２ａの、例えば図中前後一対の固定脚３ａ，３ｂを載置せしめる矩形台状のパレット本体１ａに、フォークリフトの左右一対のフォークを挿入させる左右一対のフォーク挿入孔１ａ，１ｂを形成し、これらフォーク挿入孔１ａ，１ｂ内に、フォークリフトのフォークを挿入して室外機２を運搬することにより、室外機２の固定脚３ａ，３ｂを保護しつつ、フォークフトにより荷扱いできるようになっている。
【発明の概要】
【発明が解決しようとする課題】
【０００５】
しかしながら、このような従来の木製パレット１では、一般に、室外機本体２ａの固定脚３ａ，３ｂを、ボルト・ナット等の締結具により、所定の据付け箇所に締結して据え付けた後に、廃棄されることが多い。
【０００６】
この場合は、大量の木材を廃棄することになるので、木材資源を浪費するうえに、廃棄物の増加による環境負荷が大きくなるという問題があり、梱包材を減少させる必要がある。
【０００７】
本発明は、このような事情を考慮してなされたもので、その目的は、熱源ユニットの固定脚を保護すると共に、熱源ユニットの梱包材の減少を図ることができる熱源ユニットの固定脚保護構造を提供することにある。
【課題を解決するための手段】
【０００８】
本実施形態によれば、熱源ユニット本体の底部に配設された固定脚に、フォークリフトのフォークが挿入されるフォーク挿入孔を形成した熱源ユニットを有している。
【０００９】
また、固定脚に着脱可能に装着されてこの固定脚を保護する弾性を有する樹脂製の保護部材を具備している。
【図面の簡単な説明】
【００１０】
【図１】第１の実施形態の要部拡大斜視図。
【図２】図１で示す室外機の斜視図。
【図３】図１と図２で示す室外機の固定脚と保護部材の分解斜視図。
【図４】（ａ）は図１で示す固定脚の側面図、（ｂ）は同，固定脚に保護部材を装着した状態の側面図、（ｃ）は同，固定脚に保護部材を着脱する場合の一行程図。
【図５】第２の実施形態の要部側面図。
【図６】従来の木製パレット上に室外機を載置した状態を示す斜視図。
【発明を実施するための形態】
【００１１】
以下、本発明の実施形態を図面に基づいて説明する。複数の図面中、同一または相当部分には同一符号を付している。
【００１２】
図２に示すように熱源ユニットの一例である室外機１１は、室外機本体１２の底部の図中前端部と、後端部とに、例えば金属製で断面コ字状の固定脚１３ａ，１３ｂを一体に配設している。但し、これら固定脚１３ａ，１３ｂは室外機本体１２の底部の四辺部にそれぞれ配設されてもよい。
【００１３】
室外機本体１２は、金属製角筒状の本体ケース内に、図示省略の圧縮機、室外熱交換器、膨張弁装置、四方弁や室外ファン等必要部材を収容して構成されている。
【００１４】
図３に示すように各固定脚１３ａ，１３ｂは、室外機本体１２の底部からほぼ垂直に垂下する例えば金属製平板状の固定脚本体１３ｃと、この固定脚本体１３ｃの長手方向両端部にて図１，図３中内方、すなわち、室外機本体１２の内側にほぼ直角に折曲形成された図中ほぼ逆三角形板状の左右一対の曲げ部１３ｄ，１３ｅと、を一体に形成している。
【００１５】
また、各固定脚本体１３ｃには、その長手方向両端部側に、例えば横に長い左右一対のフォーク挿通孔１３ｆ，１３ｇを形成している。これらフォーク挿通孔１３ｆ，１３ｇはフォークリフトのフォークが挿入されたときに、これらフォークが室外機本体１２の底部外面の若干下方に位置し、フォークが室外機本体１２の底部を支持し得るように形成されている。
【００１６】
さらに、図３に示すように各固定脚本体１３ｃは、その上下両端部にて、水平方向外方へほぼ直角に突出する上フランジ１３ｈと下フランジ１３ｉを一体に形成してコ字状に形成されている。上フランジ１３ｈと曲げ部１３ｄ，１３ｅの上端には、室外機本体１２の底部に固定するためのボルト等の締結具の軸部が挿通される複数のボルト挿通孔１３ｊ，１３ｊ，…を形成している。
【００１７】
下フランジ１３ｉには、例えば所要の据付箇所上に密着し、その据付箇所に例えば埋設された図示省略のスタッドボルト等取付具の軸部が挿通されるボルト挿通孔が形成されている。したがって、下フランジ１３ｉは各固定脚１３ａ，１３ｂの底部として形成されている。この底部をなす下フランジ１３ｉには、弾性を有するＰＰ（ポリプロピレン）等樹脂製の保護部材１４が着脱可能に装着される。
【００１８】
図１，図３および図４（ｂ）に示すように、保護部材１４は、下フランジ１３ｉの底面とほぼ同形同大または若干大であって、この下フランジ１３ｉの外底面を被覆する保護部材本体１４ａと、この保護部材本体１４ａの幅方向前端部に設けられ、下フランジ１３ｉに着脱可能に嵌合するＵ字状の前係止部１４ｂと、固定脚本体１３ｃの背面側に係止される後係止部１４ｃと、を一体に有し、これら前後一対の係止部１４ｂ，１４ｃにより下フランジ１３ｉを幅方向で弾性的に挟持している。
【００１９】
図４（ｂ）に示すように、前係止部１４ｂは下フランジ１３ｉの先端部（図４（ｂ）では左端部）に着脱可能に嵌合されて、その先端部の底面からその上面を被覆するために、ほぼＵ字状に形成されている。また、後係止部１４ｃは、保護部材本体１４ａの幅方向後端部（図４（ｂ）では右端部）において、ほぼ直角、または直角よりも若干小さい角度で図中上方へ起立して、固定脚本体１３ｃの背面側に弾性的に密着し、Ｕ字状の前係止部１４ｂ側へ弾性的に押し付けている。
【００２０】
したがって、この保護部材１４を、固定脚１３ａ，１３ｂの底部である下フランジ１３ｉに装着する場合は、図４（ｃ）に示すように、まず、下フランジ１３ｉの先端部に、保護部材１４の前係止部１４ｂのＵ字状開口を嵌合させ、次に、後係止部１４ｃを、固定脚本体１３ｃの背面側で図中上方へ押し上げる。このために、後係止部１４ｃが固定脚本体１３ｃの背面に弾性的に係止される。
【００２１】
これにより、図４（ｂ）に示すように保護部材１４が固定脚１３ａ，１３ｂの底部である下フランジ１３ｉに装着される。このとき、保護部材１４は、その前後一対の係止部１４ｂ，１４ｃにより、下フランジ１３ｉを幅方向（前後）方向に弾性的に挟持するので、下フランジ１３ｉに堅く装着される。
【００２２】
この保護部材１４の装着後は、その装着状態で室外機１１と同梱される。この後、室外機１１を所要の据付箇所に据え付ける際には、保護部材１４は固定脚１３ａ，１３ｂから取り外される。その取外しは、図４（ｃ）に示すように保護部材１４の後係止部１４ｃをその弾性力に抗して図中下方へ押し下げて、固定脚本体１３ｃの背面から係止状態を解除し、さらに、保護部材１４の前係止部１４ｂを固定脚本体１３ｃの底部先端部から取り外すことにより、保護部材１４を固定脚１３ａ，１３ｂの下フランジ１３ｉから簡単かつ迅速に取り外すことができる。
【００２３】
したがって、この第１の実施形態によれば、固定脚１３ａ，１３ｂの底部である下フランジ１３ｉの幅方向両端部と底面を保護部材１４により被覆するので、室外機１１のフォークリフトの荷扱いの際の固定脚１３ａ，１３ｂの損傷の防止を図ることができる。
【００２４】
また、これら保護部材１４は、前後一対の固定脚１３ａ，１３ｂの底部である下フランジ１３ｉの一部を局所的に被覆するだけであるので、保護部材１４自体の物量や嵩の減少を図ることができる。このために、室外機１１と同梱される梱包材としての減少を図ることが可能である。
【００２５】
さらに、保護部材１４は、その弾性力を利用した嵌め込みにより下フランジ１３ｉに装着されるので、その着脱を簡単かつ迅速に行うことができる。このために、室外機１１の据付工事の作業性の向上を図ることができる。しかも、その弾性力の強化により、装着力の強度を増強させることも可能である。
【００２６】
また、樹脂製の保護部材１４の形状も簡素であるので、射出成形や押し出し成形等の樹脂成形も簡単かつ迅速に行うことができ、成形コストの低減を図ることが可能である。しかも、保護部材１４は樹脂製であるので、これを仮に廃棄した場合でも木材資源の浪費の防止を図ることができる。
【００２７】
図５は本発明の第２の実施形態の要部側面図である。この第２の実施形態は、上記第１の実施形態に係る保護部材本体１４ａの底面１４ｄに、粗面の一例として滑り止め用の複数の溝１６を形成した点に特徴がある。
【００２８】
各溝１６は、その断面形状が矩形や三角形等所要形状に形成され、保護部材本体１４ａの長手方向ほぼ全長に亘って形成され、さらに、保護部材本体１４ａの幅方向に所定の間隔を在して形成されている。
【００２９】
なお、これら溝１６，１６，…は、保護部材１４ａの底面の全面に形成されなくてもよく、少なくとも一部に形成されていればよく、さらに、平面形状が独立した円形や矩形等所要形状の複数の凸部または凹部に置換してもよく、保護部材本体１４ａの底面１４ｄを滑り止め用の粗面に形成すればよい。
【００３０】
したがって、この第２の実施形態によれば、保護部材１４の底面１４ｄを粗面に形成したので、この保護部材１４を固定脚１３ａ，１３ｂに取り付けた状態で室外機１１を所要の床面等に置いた場合に、滑ることを防止または低減できる。
【００３１】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００３２】
１１…室外機、１２…室外機本体、１３ａ，１３ｂ…固定脚、１３ｃ…固定脚本体、１３ｉ…固定脚下フランジ（底部）、１４…保護部材、１４ａ…保護部材本体、１４ｂ…前係止部、１４ｃ…後係止部、１６…溝。
【図１】
2012013332.tif 000003
【図２】
2012013332.tif 000004
【図３】
2012013332.tif 000005
【図４】
2012013332.tif 000006
【図５】
2012013332.tif 000007
【図６】
2012013332.tif 000008